(57)【要約】【課題】通常の背上げ膝上げ機能を有するベッド装置と同様の起伏機能を持たせた、ギャッチマットレスを提供する。【解決手段】マットレス２を背に対応する背部マットレス２ａと腰に対応する腰部マットレス２ｂと、膝に対応する膝部マットレス２ｃと、足に対応する足部マットレス２ｄとに屈曲可能に連結して構成する。前記背部マットレス２ａ下面に、背部マットレス２ａを傾斜させるべく拡縮する背部拡縮体３を配設する。また前記膝部マットレス２ｃから足部マットレス２ｄにかけての下面側に、膝部マットレス２ｃと足部マットレス２ｄとの連結箇所を上下動させて、膝部マットレス２ｃと足部マットレス２ｄとを傾斜させる脚部拡縮体４を配設する。これら背部拡縮体３と脚部拡縮体４とに、流体を供給制御して、前記背部マットレス２ａの起伏動作、並びに膝部マットレス２ｃと足部マットレス２ｄとの傾斜動作を行わせる流体供給手段５を備える。【選択図】　　　　　　　図２
2004057601.tif 000002
【特許請求の範囲】
【請求項１】
マットレスを背に対応する背部マットレスと腰に対応する腰部マットレスと、膝に対応する膝部マットレスと、足に対応する足部マットレスとに屈曲可能に連結して構成し、前記背部マットレス下面に、背部マットレスを傾斜させるべく拡縮する背部拡縮体を配設し、前記膝部マットレスから足部マットレスにかけての下面側に、膝部マットレスと足部マットレスとの連結箇所を上下動させて、膝部マットレスと足部マットレスとを傾斜させる脚部拡縮体を配設し、これら背部拡縮体と脚部拡縮体とに、流体を供給制御して、前記背部マットレスの起伏動作、並びに膝部マットレスと足部マットレスとの起伏動作を行わせる流体供給手段を備えたことを特徴とするギャッチマットレス。
【請求項２】
前記背部拡縮体は、マットレス長手方向背部マットレス先端側を最頂点とする扇形状に拡縮する構成としたことを特徴とする請求項１記載のギャッチマットレス。
【請求項３】
前記脚部拡縮体は、膝部マットレスと足部マットレスとの連結箇所を最頂点とするように拡縮する構成としたことを特徴とする請求項１記載のギャッチマットレス。
【請求項４】
前記流体供給手段は、操作指令により前記背部拡縮体または脚部拡縮体に、エアを流体供給管を介し、切り換えて送り込むエアコンプレッサを備えたことを特徴とする請求項１記載のギャッチマットレス。
【請求項５】
前記マットレスは、それぞれ下層と中間層と上層とで構成し、前記下層は衝撃緩和用素材で構成し、前記中間層は、寝姿勢保持と体圧分散性をもたらすための固さを有する素材で構成し、前記上層は厚さが前記下層および中間層に比較して薄く、且つ低反発性の素材で構成して、これら下層と中間層と上層とを表地で被覆する構成としたことを特徴とする請求項１記載のギャッチマットレス。
【請求項６】
前記マットレスは、素材を硬綿系中芯材で構成し、この硬綿系中芯材は、弾力性を有する巻縮ステープルより構成したランダムウェブにニードル加工を施して、このランダムウェブを平板状に加工すると共に波板形状に形成し、加熱処理をして成形保持して構成したことを特徴とする請求項１記載のギャッチマットレス。
【請求項７】
前記マットレスは、素材をポリエステル繊維で構成したことを特徴とする請求項１記載のギャッチマットレス。
【請求項８】
前記マットレスは、厚さ３０ｍｍ〜７０ｍｍ、見掛け密度が１０ｋｇ／ｍ３〜１００ｋｇ／ｍ３、圧縮硬さが１０Ｎ〜４００Ｎの素材で構成したことを特徴とする請求項１記載のギャッチマットレス。
【請求項９】
前記表地は、伸縮性を兼ね備えた防水性の布部材で構成したことを特徴とする請求項５記載のギャッチマットレス。
【発明の詳細な説明】
【０００１】
【発明の属する技術分野】
本発明は、通常の背上げ膝上げ機能を有するベッド装置と同様の起伏機能を持たせた、ギャッチマットレスに関するものである。
【０００２】
【従来の技術】
近年のベッド装置は、様々な機能を達成するために、多機能化の一途を辿り、機構的に高度化している。これによって、当初の様々な要求、課題が達成され、病院にあっては、治療上、療養上、看護上の特質を享受可能となったといえる。
【０００３】
【発明が解決しようとする課題】
しかしながら、反面、多機能化のあまり、複雑化し、取扱い性も煩雑化している。これは、特に、ボトムの支持状態の調整手段である起伏機構部、昇降機構部が複雑化し、且つ、動作制御機構も複雑化しており、手軽に扱えないものとなっている。
そこで、これらの起伏機構部、昇降機構部、および動作制御機構を備えたベッド装置に依らずに、上述のような、例えば、ギャッチ機能を達成する装置が求められている。
本発明は、以上のような背景から提案されたものであって、通常の背上げ膝上げ機能を有するベッド装置と同様の起伏機能を持たせた、ギャッチマットレスを提供することを目的とする。
【０００４】
【課題を解決するための手段】
前記した課題を解決するために、本発明では、請求項１において、マットレスを背に対応する背部マットレスと腰に対応する腰部マットレスと、膝に対応する膝部マットレスと、足に対応する足部マットレスとに屈曲可能に連結して構成し、前記背部マットレス下面に、背部マットレス傾斜させるべく拡縮する背部拡縮体を配設し、前記膝部マットレスから足部マットレスにかけての下面側に、膝部マットレスと足部マットレスとの連結箇所を上下動させて、膝部マットレスと足部マットレスとを傾斜させる脚部拡縮体を配設し、これら背部拡縮体と脚部拡縮体とに、流体を供給制御して、前記背部マットレスの起伏動作、並びに膝部マットレスと足部マットレスとの起伏動作を行わせる流体供給手段を備えたギャッチマットレスを提案する。
また本発明では、請求項２において、前記背部拡縮体は、マットレス長手方向背部マットレス先端側を最頂点とする扇形状に拡縮する構成としたギャッチマットレスを提案する。
また本発明では、請求項３において、前記脚部拡縮体は、膝部マットレスと足部マットレスとの連結箇所を最頂点とするように拡縮する構成としたギャッチマットレスを提案する。
また本発明では、請求項４において、前記流体供給手段は、操作指令により前記背部拡縮体または脚部拡縮体に、エアを流体供給管を介し、切り換えて送り込むエアコンプレッサを備えたギャッチマットレスを提案する。
また本発明では、請求項５において、前記マットレスは、それぞれ下層と中間層と上層とで構成し、前記下層は衝撃緩和用素材で構成し、前記中間層は、寝姿勢保持と体圧分散性をもたらすための固さを有する素材で構成し、前記上層は厚さが前記下層および中間層に比較して薄く、且つ低反発性の素材で構成して、これら下層と中間層と上層とを表地で被覆する構成としたギャッチマットレスを提案する。
また本発明では、請求項６において、前記マットレスは、素材を硬綿系中芯材で構成し、この硬綿系中芯材は、弾力性を有する巻縮ステープルより構成したランダムウェブにニードル加工を施して、このランダムウェブを平板状に加工すると共に波板形状に形成し、加熱処理をして成形保持して構成したギャッチマットレスを提案する。
また本発明では、請求項７において、前記マットレスは、素材をポリエステル繊維で構成したギャッチマットレスを提案する。
また本発明では、請求項８において、前記マットレスは、厚さ３０ｍｍ〜７０ｍｍ、見掛け密度が１０ｋｇ／ｍ３〜１００ｋｇ／ｍ３、圧縮硬さが１０Ｎ〜４００Ｎの素材で構成したギャッチマットレスを提案する。
さらに本発明では、請求項９において、前記表地は、伸縮性を兼ね備えた防水性の布部材で構成したギャッチマットレスを提案する。
【０００５】
請求項１によれば、流体供給手段を操作して、背部マットレス下面の背部拡縮体に流体を送り込んで背部拡縮体を拡張させ、背部マットレスを傾斜させることができる。
また、膝部マットレスから足部マットレスにかけての下面側の脚部拡縮体に、前記流体供給手段から流体を送り込んで、前記脚部拡縮体を拡張させ、膝部マットレスと足部マットレスとの連結箇所を上動させて、膝部マットレスと足部マットレスとを傾斜させることができる。
【０００６】
請求項２によれば、背部拡縮体に流体を送り込むと、背部拡縮体は、マットレス長手方向背部マットレス先端側を最頂点とするように扇形状に拡張するので、背部マットレスは、傾斜することができる。
【０００７】
請求項３によれば、脚部拡縮体に流体を送り込むと、脚部拡縮体は、膝部マットレスと足部マットレスとの連結箇所を最頂点とするように拡張するので、膝部マットレスと足部マットレスとの連結箇所を上動させて、膝部マットレスと足部マットレスとを傾斜させることができる。
【０００８】
請求項４によれば、操作指令によりエアコンプレッサを作動させて、背部拡縮体または脚部拡縮体にエアを切り換えて送り込むことで、背部拡縮体または脚部拡縮体が拡張し、背部マットレスのみを傾斜させたり、膝部マットレスと足部マットレスを傾斜させたり、さらには、背部マットレスと共に、膝部マットレスと足部マットレスとを傾斜させることができる。
【０００９】
請求項５によれば、使用者がマットレス上の表地に乗っても、衝撃緩和用素材で構成した下層で乗ったときの衝撃が吸収され、また中間層によって、偏荷重のかかる背中の体圧を好適に分散すると共に、体圧が分散されることで、寝姿勢保持が図られる。さらに、低摩擦性の素材で構成した上層によって、触感に違和感はなく、快適性の高いものとすることができる。
【００１０】
請求項６によれば、使用者は通常のギャッチベッドのように背上げ、膝上げ、ギャッチ操作をすることができる。また、素材に硬綿系中芯材を用いた波形形状の構造により、衝撃を緩和する柔軟性と適度な固さを併せ持つため、必要以上の沈み込みを抑えて、寝姿勢を保持することができ、健常者は違和感なく快適に使用することができる。
【００１１】
請求項７によれば、素材としてポリエステル繊維を用いたことにより、衝撃の緩和と共に、底突きするようなことはなく、沈み込みを抑えて、寝姿勢を保持することができる。
【００１２】
請求項８によれば、特に体圧のかかる肩甲骨や、仙骨周辺の体圧を好適に分散することができ、床ずれ予防に寄与することができる。
【００１３】
請求項９によれば、表地内に収容した下層、中間層および上層に、外部からの水分、汚れ等が侵入するのを遮断して、感染予防に寄与することができ、且つ清拭等、清掃も容易である。
【００１４】
【発明の実施の形態】
以下、本発明にかかるギャッチマットレスにつき、一つの実施の形態を、添付の図面に基づいて説明する。
図１に示すギャッチマットレス１は、マットレス２を背に対応する背部マットレス２ａと腰に対応する腰部マットレス２ｂと、膝に対応する膝部マットレス２ｃと、足に対応する足部マットレス２ｄとに屈曲可能に連結して構成している。前記背部マットレス２ａ下面には、背部マットレス２ａを傾斜させるべく拡縮する背部拡縮体３を配設している。
また前記膝部マットレス２ｃから足部マットレス２ｄにかけての下面側には、膝部マットレス２ｃと足部マットレス２ｄとの連結箇所を上下動させて、膝部マットレス２ｃと足部マットレス２ｄとを傾斜させる脚部拡縮体４を配設している。
そしてこれら背部拡縮体３と脚部拡縮体４とに、流体を供給制御して、前記背部マットレス２ａの起伏動作、並びに膝部マットレス２ｃと足部マットレス２ｄとの傾斜動作を行わせる流体供給手段５を備えている（図２参照）。
【００１５】
前記マットレス２は、背部マットレス２ａから足部マットレス２ｄに至るまで、順次、一方向に屈曲可能に、第１の連結扇体６ａ，第２の連結扇体６ｂ，第３の連結扇体６ｃを介して連結している。
これら背部マットレス２ａ、腰部マットレス２ｂ、膝部マットレス２ｃ、足部マットレス２ｄは、例えばそれぞれ下層Ｂと中間層Ｍと上層Ｔとで構成することができる（図３参照）。
前記下層Ｂは周知の衝撃緩和用素材で構成し、前記中間層Ｍは、寝姿勢保持と体圧分散性をもたらすための固さを有する素材で構成し、前記上層Ｔは厚さが前記下層Ｂおよび中間層Ｍに比較して薄く、且つ低反発性の素材で構成して、これら下層Ｂと中間層Ｍと上層Ｔとを伸縮性を兼ね備えた防水性の表地７で被覆する構成としている。
【００１６】
前記第１連結扇体６ａは、背部マットレス２ａと腰部マットレス２ｂとの対向面に設けて、図中下部側が扇形状に拡開する拡縮袋体で構成している。
また前記第２連結扇体６ｂも、腰部マットレス２ｂと膝部マットレス２ｃとの対向面に設けて、図中下部側が扇形状に拡開する拡縮袋体で構成している。
一方、前記第３連結扇体６ｃは、膝部マットレス２ｃと足部マットレス２ｄとの対向面に設けて、図中上面側が扇形状に拡開する拡縮袋体で構成している。
【００１７】
次に、前記背部マットレス２ａ下面に配設した背部拡縮体３は、マットレス長手方向背部マットレス２ａ先端側を最頂点とする扇形状に拡縮する袋体で構成している。
かかる背部拡縮体３には、前記流体供給手段５を構成するエアコンプレッサ８を、コントローラ９の制御下に流体供給管１０を介して流体（エア）を送り込むように接続している（図２参照）。
【００１８】
また前記膝部マットレス２ｃから足部マットレス２ｄにかけての下面側の脚部拡縮体４は、膝部マットレス２ｃと足部マットレス２ｄとの連結箇所を最頂点とするテント型形状の袋体で構成している。この脚部拡縮体４に対しても、前記流体供給手段５におけるエアコンプレッサ８から流体供給管１０を介して流体（エア）を送り込むようにしている。
【００１９】
前記流体供給手段５におけるエアコンプレッサ８から前記背部拡縮体３および脚部拡縮体４に至る流体供給管１０の分岐点には、コントローラ９の制御下にエア流路を形成したり遮断したりする切換制御弁１１が介在され、背部拡縮体３、脚部拡縮体４に至る流体供給管１０にはそれぞれ圧力制御弁１２、大気開放弁（図示せず）を介在している。
【００２０】
そして前記コントローラ９において、前記流体供給手段５を構成するエアコンプレッサ８を作動させるために、背上げ下げ指令、および膝上げ下げ指令、さらには背上げ下げと共に膝上げ下げ動作指令（ギャッチ指令）を発する操作スイッチ（図示省略）からそれぞれ指令を送出し、背部拡縮体３と脚部拡縮体４に流体供給管１０を介してエアを送り込んで、指令に応じて前記背部拡縮体３または脚部拡縮体４を拡張させたり、前記エアコンプレッサ８を停止させると共に、流体供給管１０に介在させた大気開放弁を作動させて拡張させた背部拡縮体３または脚部拡縮体４内のエアを大気に開放し、背部拡縮体３、脚部拡縮体４を速やかに元の状態に戻す設定としている。
【００２１】
以上のようなギャッチマットレス１において、操作スイッチによってコントローラ９に背上げ指令、または膝上げ指令、さらには背上げと共に膝上げ動作指令を送出すると、流体供給手段５におけるエアコンプレッサ８が作動して、指令に応じて切換制御弁１１を動作させてエア流路を切り換え、背部マットレス２ａ下面の背部拡縮体３または脚部拡縮体４に流体供給管１０を介してエアを送り込んで、背部マットレス２ａ下面の背部拡縮体３を拡張させて背部マットレス２ａを傾斜させたり、膝部マットレス２ｃから足部マットレス２ｄにかけての下面側の脚部拡縮体４を拡張させて、膝部マットレス２ｃと足部マットレス２ｄとの連結箇所を上動させて、膝部マットレス２ｃと足部マットレス２ｄとを傾斜させることができる。
さらには、前記背部拡縮体３と共に脚部拡縮体４に送り込んで、背部マットレス２ａと共に、膝部マットレス２ｃと足部マットレス２ｄとを傾斜させることができる。
【００２２】
前記背部拡縮体３にエアを送り込むと、背部拡縮体３は、マットレス２長手方向背部マットレス２ａ先端側を最頂点とするように扇形状に拡張するので、背上げ状態に背部マットレス２ａは傾斜することができる。
【００２３】
一方、前記脚部拡縮体４にエアを送り込むと、脚部拡縮体４は、膝部マットレス２ｃと足部マットレス２ｄとの連結箇所を最頂点とするように拡張するので、膝部マットレス２ｃと足部マットレス２ｄとの連結箇所を上動させて、膝部マットレス２ｃと足部マットレス２ｄとを傾斜させ、膝上げ状態とすることができる。
【００２４】
そして、操作スイッチから、コントローラ９に、背下げ指令、膝下げ指令、又は、背下げと共に膝下げ指令が送られると、コントローラ９は、エアコンプレッサ８を停止させると共に、流体供給管１０に介在させた大気開放弁を作動させて拡張させた背部拡縮体３または脚部拡縮体４内のエアを大気に開放し、背部拡縮体３、脚部拡縮体４を速やかに元の状態に戻すことができる。これによってマットレス２を平坦な状態に戻すことができる。
なお、マットレス２における表地７は、伸縮性を兼ね備えた防水性の布地で構成しているので、表地７内に収容した下層Ｂ、中間層Ｍおよび上層Ｔに、外部からの水分、汚れ等が侵入するのを遮断して、感染予防に寄与することができ、且つ清拭等、清掃も容易である。
【００２５】
使用者がマットレス２上の表地７に乗っても、衝撃緩和用素材で構成した下層Ｂで乗ったときの衝撃が吸収され、また中間層Ｍによって、偏荷重のかかる背中の体圧を好適に分散すると共に、体圧が分散されることで、寝姿勢保持が図られる。さらに、低摩擦性の素材で構成した上層Ｔによって、触感に違和感はなく、快適性の高いものとすることができる。
【００２６】
以上のように、本発明にかかるギャッチマットレス１は、それ自体で、通常のギャッチベッドのように、マットレス２を背上げ状態、膝上げ状態、ギャッチ状態に姿勢を調節することができるので、図４に示すようにボトムの姿勢調節機能のないベッド１２のボトム１３上に乗せて使えば、そのままギャッチ機能を有するベッドとして活用することができ、新しくギャッチベッドを備える必要はなく、設備費用も抑制することができる。
また、和室の畳上に前記ギャッチマットレス１をおいて使えば、ギャッチベッドのような布団、寝具として活用することができ、身体を起こしたり、移動したりするのに大いに役立つ。
【００２７】
以上、本発明にかかるギャッチマットレス１においては、マットレス２は、下層Ｂと中間層Ｍと上層Ｔとで構成するものを挙げて説明したが、勿論、かかる構成に限らず、使用者が健常者から重症病患者まで対応できるように様々な構成、素材のものを用いることができる。
例えば、健常者向きのマットレス２の素材として周知の硬綿系中芯材を用いることができる。かかる硬綿系中芯材は、例えば弾力性を有する巻縮ステープルより構成したランダムウェブにニードル加工を施して、このランダムウェブを平板状に加工すると共に波板形状に形成し、加熱処理をして成形保持して構成している（図５参照）。
【００２８】
このようなギャッチマットレス１によれば、使用者は自由に流体供給手段５を操作して、背部マットレス２ａを傾斜させたり、膝部マットレス２ｃと足部マットレス２ｄとを傾斜させたりすることができる。また、マットレス２は、素材に硬綿系中芯材を用いた波形形状の構造により、衝撃を緩和する柔軟性と適度な固さを併せ持つため、必要以上の沈み込みを抑えて、寝姿勢を保持することができ、健常者は違和感なく使用することができる。
【００２９】
また、寝たきりではないベッド生活者向きのマットレス２の素材としては、例えば図６に示すようにポリエステル繊維を用いたものを用いることができる。
【００３０】
かかるギャッチマットレス１によれば、ベッド生活者にとっては、マットレス２を通常のギャッチベッドと同様に、自在に背部マットレス２ａを傾斜させたり、膝部マットレス２ｃと足部マットレス２ｄとを傾斜させたりすることができるので、食事、治療等のために身体を起こしたり、ギャッチマットレス１から降りて他の部屋に移動したりする際の、介護者による労力を軽減させることができる。また、マットレス２に前記素材を用いたことにより、衝撃の緩和と共に、底突きするようなことはなく、沈み込みを抑えて、寝姿勢を保持することができる。
【００３１】
さらに、床ずれ対策を要する患者等の重症病患者向きのマットレス２の素材としては、厚さ３０ｍｍ〜７０ｍｍ、見掛け密度が１０ｋｇ／ｍ３〜１００ｋｇ／ｍ３、圧縮硬さが１０Ｎ〜４００Ｎのウレタンフォーム材（図７参照）を用いることができる。この場合、表面が凹凸状に形成されている。
【００３２】
以上のようなギャッチマットレス１によれば、マットレス２に上記の素材を用いたことで、特に体圧のかかる肩甲骨や、仙骨周辺の体圧を好適に分散することができる。また、背部マットレス２ａを傾斜させたり、膝部マットレス２ｃと足部マットレス２ｄとを傾斜させたりすることで、体圧がかかる箇所をある程度変化させることができ、ときおり、背上げ、膝上げ、ギャッチ操作することで、一層床ずれ予防に寄与することができる。
【００３３】
【発明の効果】
以上の通り、本発明によれば、
（１）流体供給手段を操作して、背部マットレス下面の背部拡縮体に流体を送り込んで背部拡縮体を拡張させ、背部マットレスを傾斜させることができる。
また、膝部マットレスから足部マットレスにかけての下面側の脚部拡縮体に、前記流体供給手段から流体を送り込んで、前記脚部拡縮体を拡張させ、膝部マットレスと足部マットレスとの連結箇所を上動させて、膝部マットレスと足部マットレスとを傾斜させることができ、通常のギャッチベッドのように使用することができる。
（２）使用者がマットレス上の表地に乗っても、衝撃緩和用素材で構成した下層で乗ったときの衝撃が吸収され、また中間層によって、偏荷重のかかる背中の体圧を好適に分散すると共に、体圧が分散されることで、寝姿勢保持が図られる。さらに、低摩擦性の素材で構成した上層によって、触感に違和感はなく、快適性の高いものとすることができる。
（３）マットレスを背上げ状態、膝上げ状態、ギャッチ状態に姿勢を調節することができるので、ボトムの姿勢調節機能のないベッドのボトム上に乗せて使えば、そのままギャッチ機能を有するベッドとして活用することができ、新たにギャッチベッドを備える費用を削減することができる。
（４）和室の畳上において使えば、ギャッチベッドのような布団、寝具として活用することができ、ギャッチ機能によって、身体を起こしたり、移動したりする際に大いに楽となる。
（５）マットレスの素材を考慮すれば、使用者が健常者から重症病患者まで対応でき、ギャッチ機能による効果によって、健常者にあっては快適さを損なうことはなく、重症患者にあっては、身体を起こしたり、移動したりする際の、介護者の労力を大いに軽減することができる。
（６）表地内に収容した下層、中間層および上層に、外部からの水分、汚れ等が侵入するのを遮断して、感染予防に寄与することができ、且つ清拭等、清掃も容易である。
【００３４】
【図面の簡単な説明】
【図１】本発明にかかるギャッチマットレスの一例を示す、外観斜視図である。
【図２】図１に示すギャッチマットレスの全体構成ブロック図である。
【図３】図１に示すギャッチマットレスの一部断面説明図である。
【図４】図１に示すギャッチマットレスを通常のベッドに載置して使用した、側面図である。
【図５】本発明にかかるギャッチマットレスの別例を示す、一部断面説明図である。
【図６】本発明にかかるギャッチマットレスの別例を示す、一部断面説明図である。
【図７】本発明にかかるギャッチマットレスの別例を示す、一部断面説明図である。
【符号の説明】
１　　　　　　　　　　　　　ギャッチマットレス
２　　　　　　　　　　　　　マットレス
２ａ　　　　　　　　　　　　背部マットレス
２ｂ　　　　　　　　　　　　腰部マットレス
２ｃ　　　　　　　　　　　　膝部マットレス
２ｄ　　　　　　　　　　　　足部マットレス
３　　　　　　　　　　　　　背部拡縮体
４　　　　　　　　　　　　　脚部拡縮体
５　　　　　　　　　　　　　流体供給手段
６ａ　　　　　　　　　　　　第１連結扇体
６ｂ　　　　　　　　　　　　第２連結扇体
６ｃ　　　　　　　　　　　　第３連結扇体
７　　　　　　　　　　　　　表地
８　　　　　　　　　　　　　エアコンプレッサ
９　　　　　　　　　　　　　コントローラ
１０　　　　　　　　　　　　流体供給管
１１　　　　　　　　　　　　切換制御弁
１２　　　　　　　　　　　　圧力制御弁
Ｂ　　　　　　　　　　　　　下層
Ｍ　　　　　　　　　　　　　中間層
Ｔ　　　　　　　　　　　　　上層
【図１】
2004057601.tif 000003
【図２】
2004057601.tif 000004
【図３】
2004057601.tif 000005
【図４】
2004057601.tif 000006
【図５】
2004057601.tif 000007
【図６】
2004057601.tif 000008
【図７】
2004057601.tif 000009